(57)【特許請求の範囲】
【請求項１】
鍋を載置するトッププレートと、前記トッププレートの下方に配置され前記鍋を加熱する複数の加熱部と、前記加熱部近傍あるいは鍋の温度をそれぞれ検出する複数の温度検出手段と、前記加熱部近傍に配置された前記加熱部の加熱動作の状態を表示する加熱動作状態表示部と、複数の前記温度検出手段のうち少なくとも１つが高温であることを検出した際に高温であることを表示する高温注意表示部と、前記加熱部への電源の供給を入り／切りする電源スイッチと、前記加熱部の出力、前記温度検出手段、前記高温注意表示部、及びおよび前記加熱動作状態表示部を制御する制御手段と、を備え、前記加熱部が停止中、かつ前記電源スイッチがオンの状態で前記温度検出手段が高温であることを検出すると、高温であることが検出された前記加熱部の前記加熱動作状態表示部を第一の表示状態で表示し、前記加熱部が停止中、かつ前記電源スイッチがオフの状態で前記温度検出手段が高温であることを検出すると、高温であることが検出された前記加熱部の前記加熱動作状態表示部を第二の表示状態で表示し、前記加熱動作状態表示部に前記第一の表示状態または前記第二の表示状態のいずれかを表示させないようにするための表示モード設定スイッチを有する誘導加熱調理機器。
【請求項２】
前記表示モード設定スイッチは、前記第一の表示状態または前記第二の表示状態の表示状態を変えることができる請求項１に記載の誘導加熱調理機器。
【発明の詳細な説明】
【技術分野】
【０００１】
本発明は一般家庭やレストラン及びオフィスなどで使用される誘導加熱調理機器に関するもので、特に、複数の動作モードを切り換え可能な誘導加熱調理機器に関するものである。
【背景技術】
【０００２】
従来、この種の誘導加熱調理機器は、サーミスタが高温であることを検出した時に、高温となっている加熱源のＬＣＤのバックライトや加熱源の周囲に配置された加熱動作状態を表示する表示器を通常時と異なる動作（高温時に点滅させる）としたもので、高温となっている機器の箇所を視覚的にわかりやすく表示し高温警告効果を高めたものとなっている（例えば、特許文献１参照）。
【先行技術文献】
【特許文献】
【０００３】
【特許文献１】特開２００５−２６７９４９号公報
【発明の概要】
【発明が解決しようとする課題】
【０００４】
しかしながら、前記従来の構成では、高温で電源オフをするとＬＣＤのバックライトや加熱源の周囲に配置された加熱動作状態を表示する表示器が点滅を続けるため、使用者によってはこの点滅が鬱陶しい、また、省エネではないと思われるという課題を有していた。
【０００５】
本発明は、前記従来の課題を解決するもので、高温となっている機器の箇所を視覚的にわかりやすく表示し高温警告効果を高めた表示を使用者が選択できる機能を追加することができる誘導加熱調理機器を提供することを目的とする。
【課題を解決するための手段】
【０００６】
前記従来の課題を解決するために、本発明の誘導加熱調理機器は、鍋が載置されるトッププレートと、前記トッププレートの下方に配置され前記鍋を誘導加熱する誘導加熱コイルを有する複数の加熱部と、前記加熱部近傍あるいは前記鍋の温度をそれぞれ検出する複数の温度検出手段と、前記加熱部近傍に配置され前記誘導加熱コイルの加熱動作の状態を前記トッププレートに表示する加熱動作状態表示部と、複数の前記温度検出手段のうち少なくとも１つが高温であることを検出した際に高温であることを前記トッププレートに表示する高温注意表示部と、前記加熱部への電源の供給を入り／切りする電源スイッチと、前記加熱部の出力、前記温度検出手段、前記高温注意表示部、及び前記加熱動作状態表示部を制御する制御手段と、を備え、前記加熱部が停止中、かつ前記電源スイッチがオンの状態で前記温度検出手段が高温であることを検出すると、高温であることを検出した前記加熱部の前記加熱動作状態表示部を第一の表示状態で表示し、前記加熱部が停止中、かつ前記電源スイッチがオフの状態で前記温度検出手段が高温であることを検出すると、高温であることを検出した前記加熱部の前記加熱動作状態表示部を第二の表示状態で表示し、前記加熱動作状態表示部に前記第一の表示状態または前記第二の表示状態のいずれかを表示させないようにするための表示モード設定スイッチを有するようにしたものである。
【０００７】
これによって、高温となっている機器の箇所を視覚的にわかりやすく表示し高温警告効果を高めた表示を使用者が選択できる機能を追加することができる。
【発明の効果】
【０００８】
本発明の誘導加熱調理機器は、高温となっている機器の箇所を視覚的にわかりやすく表示し高温警告効果を高めた表示を使用者が選択できる機能を追加することで、使い勝手を向上させることができる。
【図面の簡単な説明】
【０００９】
【図１】本発明の実施の形態１における誘導加熱調理機器と外観図
【図２】本発明の実施の形態１における誘導加熱調理機器のブロック図
【図３】本発明の実施の形態１における誘導加熱調理機器の操作部を示す図
【図４】本発明の実施の形態１における誘導加熱調理機器のトッププレートの状態表示例を示す図
【図５】（ａ）は、表示モード設定スイッチがオン設定におけるトッププレートと操作部の表示例を示す図（ｂ）は、表示モード設定スイッチがオフ設定におけるトッププレートと操作部の表示例を示す図
【図６】本発明の実施の形態１における誘導加熱調理機器のフローチャート
【発明を実施するための形態】
【００１０】
第１の発明は、鍋が載置されるトッププレートと、前記トッププレートの下方に配置され前記鍋を誘導加熱する誘導加熱コイルを有する複数の加熱部と、前記加熱部近傍あるいは前記鍋の温度をそれぞれ検出する複数の温度検出手段と、前記加熱部近傍に配置され前記誘導加熱コイルの加熱動作の状態を前記トッププレートに表示する加熱動作状態表示部と、複数の前記温度検出手段のうち少なくとも１つが高温であることを検出した際に高温であることを前記トッププレートに表示する高温注意表示部と、前記加熱部への電源の供給を入り／切りする電源スイッチと、前記加熱部の出力、前記温度検出手段、前記高温注意表示部、及び前記加熱動作状態表示部を制御する制御手段と、を備え、前記加熱部が停
止中、かつ前記電源スイッチがオンの状態で前記温度検出手段が高温であることを検出すると、高温であることを検出した前記加熱部の前記加熱動作状態表示部を第一の表示状態で表示し、前記加熱部が停止中、かつ前記電源スイッチがオフの状態で前記温度検出手段が高温であることを検出すると、高温であることを検出した前記加熱部の前記加熱動作状態表示部を第二の表示状態で表示し、前記加熱動作状態表示部に前記第一の表示状態または前記第二の表示状態のいずれかを表示させないようにするための表示モード設定スイッチを有するようにしたことにより、高温となっている機器の箇所を視覚的にわかりやすく表示し高温警告効果を高めた表示を使用者が選択できる機能を追加することができる。
【００１２】
第２の発明は、特に、第１または第２の発明において、前記表示モード設定スイッチは、前記第一の表示状態または前記第二の表示状態の表示状態を変えることのできることにより、高温となっている機器の箇所を視覚的にわかりやすく表示し高温警告効果を高めた表示を使用者が選択できる機能を追加することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における誘導加熱調理機器の外観図である。
【００１５】
図１において、誘導加熱調理機器１の上部にトッププレート２が設けられている。トッププレート２には誘導加熱により鍋などの調理容器（鍋）３を加熱する第１の加熱部４お
よび第２の加熱部５および第３の加熱部６と、加熱部４近傍に配置された加熱部４の加熱動作の状態を表示する加熱動作状態表示部１４ａと、加熱部５近傍に配置された加熱部５の加熱動作の状態を表示する加熱動作状態表示部１４ｂと、複数の加熱部のうち少なくとも１つが高温であることを検出する、高温であることを表示する高温注意表示部９と、加熱部への電源の供給を入り切りする電源スイッチと１５と、電源スイッチのオンの状態、オフの状態を表示する電源スイッチ状態表示部２０が設けられている。
【００１６】
さらに、魚等を焼くグリル７、および熱源の操作をする操作部８が誘導加熱調理機器１の外郭ケースの側面に設けられている。
【００１７】
図２は、本発明の第１の実施の形態における誘導加熱調理機器１のブロック図である。
【００１８】
図２において、加熱部４〜６はトッププレート２の下方に加熱部４〜６あるいは調理容器３の温度をそれぞれ検出する温度検出手段１３と誘導加熱コイル１０が設けられている。さらに、誘導加熱コイル１０の下方には誘導加熱コイル１０に高周波電流を供給するインバータ１１とインバータ１１を動作させるための制御部１２が設けられている。
【００１９】
操作部８により、加熱部４の出力設定値が設定されると、制御部１２は加熱動作状態表示部１４ａを点灯し、誘導加熱コイル１０に高周波電流を供給し、かつ加熱出力が出力設定値となるようにインバータ１１の加熱動作を制御し、調理容器３を加熱する。
【００２０】
図３は、本発明の第１の実施の形態における誘導加熱調理機器１の操作部８を示す。
【００２１】
図３において、操作部８は表示部１７とスイッチ１６ａ、スイッチ１６ｂ、スイッチ１６ｃ、スイッチ１６ｄ、スイッチ１６ｅで構成されている。
【００２２】
スイッチ１６ａは加熱の開始及び停止を指示する制御命令が割り当てられた加熱切／入スイッチである。スイッチ１６ｂ、１６ｃは、火力を上げ下げする制御命令が割り当てられた火力設定スイッチである。スイッチ１６ｄ、１６ｅは、表示モードを設定する制御命令が割り当てられた表示モード設定スイッチである。
【００２３】
表示部１７には、火力の大きさを表示する火力設定表示の表示部１７ａと表示モード設定スイッチの状態を表示する表示モード設定状態表示の表示部１７ｂがある。
【００２４】
図４の（ａ）〜（ｈ）にトッププレート２の状態表示の具体例を示す。図４の（ｉ）はトッププレート２の表示の構成を示し、高温注意表示部９と電源スイッチ状態表示部２０と左の加熱部４の加熱動作状態表示部１４ａと右の加熱部５の加熱動作状態表示部１４ｂが表示されている。
【００２５】
なお、本実施の形態の図４の表示において、加熱部が２口としたが、加熱部の口数は限定しない。
【００２６】
図４の（ｊ）は左の加熱部４の加熱動作状態表示部１４ａと右の加熱部５の加熱動作状態表示部１４ｂの表示状態を示し、図４の（ｋ）は高温注意表示部９と電源スイッチ状態表示部２０の表示状態を示している。
【００２７】
図４の（ａ）は、電源スイッチ１５がオンの状態で、左の加熱部４を加熱中、右の加熱部５を加熱中で、温度検出手段１３が低温の場合を示し、電源スイッチ状態表示部２０が点灯、高温注意表示部９が消灯、左の加熱部４の加熱動作状態表示部１４ａは点灯、右の加熱部５の加熱動作状態表示部１４ｂは点灯の表示を示している。
【００２８】
図４の（ｂ）は、電源スイッチ１５がオンの状態で、左の加熱部４を加熱中、右の加熱部５を加熱停止中で、温度検出手段１３が低温の場合を示し、電源スイッチ状態表示部２０が点灯、高温注意表示部９が消灯、左の加熱部４の加熱動作状態表示部１４ａは点灯、右の加熱部５の加熱動作状態表示部１４ｂは消灯の表示を示している。
【００２９】
図４の（ｃ）は、電源スイッチ１５がオンの状態で、左の加熱部４を加熱停止中、右の加熱部５を加熱停止中で、温度検出手段が低温の場合を示し、電源スイッチ状態表示部２０が点灯、高温注意表示部９が消灯、左の加熱部４の加熱動作状態表示部１４ａは消灯、右の加熱部５の加熱動作状態表示部１４ｂは消灯の表示を示している。
【００３０】
図４の（ｄ）は、電源スイッチ１５がオフの状態で、左の加熱部４を加熱停止中、右の加熱部５を加熱停止中で、温度検出手段１３が低温の場合を示し、電源スイッチ状態表示部２０が消灯、高温注意表示部９が消灯、左の加熱部４の加熱動作状態表示部１４ａは消灯、右の加熱部５の加熱動作状態表示部１４ｂは消灯の表示を示している。
【００３１】
図４の（ｅ）は、電源スイッチ１５がオンの状態で、左の加熱部４を加熱中、右の加熱部５を加熱中で、温度検出手段１３が高温の場合を示し、電源スイッチ状態表示部２０が点灯、高温注意表示部９が点灯、左の加熱部４の加熱動作状態表示部１４ａは点灯、右の加熱部５の加熱動作状態表示部１４ｂは点灯の表示を示している。
【００３２】
図４の（ｆ）は、電源スイッチ１５がオンの状態で、左の加熱部４を加熱中、右の加熱部５を加熱停止中で、温度検出手段１３が高温の場合を示し、電源スイッチ状態表示部２０が点灯、高温注意表示部９が点灯、左の加熱部４の加熱動作状態表示部１４ａは点灯、右の加熱部５の加熱動作状態表示部１４ｂは第一の表示状態、本実施の形態では明るい輝度で点滅、の表示を示している。
【００３３】
図４の（ｇ）は、電源スイッチ１５がオンの状態で、左の加熱部４を加熱停止中、右の加熱部５を加熱停止中で、温度検出手段１３が高温の場合を示し、電源スイッチ状態表示部２０が点灯、高温注意表示部９が点滅、左の加熱部４の加熱動作状態表示部１４ａは第一の表示状態、右の加熱部５の加熱動作状態表示部１４ｂは第一の表示状態の表示を示している。
【００３４】
図４の（ｈ）は、電源スイッチ１５がオフの状態で、左の加熱部４を加熱停止中、右の加熱部５を加熱停止中で、温度検出手段１３が高温の場合を示し、電源スイッチ状態表示部２０が消灯、高温注意表示部９が点滅、左の加熱部４の加熱動作状態表示部１４ａは第一の表示状態と異なる第二の表示状態、本実施の形態では暗い輝度で点滅、右の加熱部５の加熱動作状態表示部１４ｂは第二の表示状態の表示を示している。
【００３５】
なお、本実施の形態において、第一の表示状態を明るい輝度で点滅表示としたが、明るい点滅表示に限定せず、明暗、色、点滅周期等を変えて表示しても良い。
【００３６】
また、本実施の形態において、第二の表示状態を暗い輝度で点滅表示としたが、暗い点滅表示に限定せず、明暗、色、点滅周期等を変えて表示しても良い。
【００３７】
本実施の形態の誘導加熱調理機器は、加熱動作状態表示部１４ａ、１４ｂにトッププレート２が高温時に第一の表示状態と第二の表示状態を表示させないようにするための表示モード設定スイッチがオフ設定と、第一の表示状態と第二の表示状態を表示させるようにするための表示モード設定スイッチがオン設定とをスイッチ１６ｄ、１６ｅで切り換えることができる。
【００３８】
図５（ａ）は、表示モード設定スイッチがオン設定におけるトッププレート２と操作部８の表示例を示し、図５（ｂ）は、表示モード設定スイッチがオフ設定におけるトッププレート２と操作部８の表示例を示している。
【００３９】
以上のように構成された誘導加熱調理機器について、以下、図６を用いて、動作、作用を説明する。
【００４０】
図６は、本発明の第１の実施の形態における誘導加熱調理機器の表示モード設定スイッチをオン設定とオフ設定とを切り換える動作のフローチャートである。
【００４１】
図６において、ステップ１（Ｓ１）にて、トッププレート２に現在の誘導加熱調理機器１の動作状態を表示する。例えば、左の加熱部４を加熱中、右の加熱部５を加熱停止中であれば図４（ｂ）の表示となる。
【００４２】
次に、ステップ２（Ｓ２）にて、表示モード設定スイッチをオン設定とオフ設定とを切り換えるためのスイッチがオン、本実施の形態ではスイッチ１６ｄとスイッチ１６ｅを同時にオン、されたかどうかを判断し、スイッチがオンの場合、ステップ３に移行する。
【００４３】
ステップ３（Ｓ３）にて、現在の誘導加熱調理機器１の動作状態を表示している場所に、現在の表示モード設定を表示する。例えば、現在の表示モード設定がオン設定の場合は、
図５（ａ）に示すように、操作部８の表示部１７の状態表示とトッププレート２の状態表示は、表示部１７ｂは「ｏｎ」表示、電源スイッチ状態表示部２０が点灯、高温注意表示部９が消灯、左の加熱部４の加熱動作状態表示部１４ａは第一の表示状態、右の加熱部５の加熱動作状態表示部１４ｂは第一の表示状態の表示を示している。
【００４４】
また、現在の表示モード設定がオフ設定の場合は、図５（ｂ）に示すように、操作部８の表示部１７の状態表示とトッププレート２の状態表示は、表示部１７ｂは「ｏＦ」表示、電源スイッチ状態表示部２０が点灯、高温注意表示部９が消灯、左の加熱部４の加熱動作状態表示部１４ａは消灯、右の加熱部５の加熱動作状態表示部１４ｂは消灯の表示を示している。
【００４５】
次に、ステップ４（Ｓ４）にて、スイッチ１６ｂがオンしている場合、ステップ１０に移行し、それ以外はステップ５へ移行する。
【００４６】
ステップ１０（Ｓ１０）にて、現在の表示状態を表示モード設定がオン設定に切り換えて、表示を行う（図５（ａ）参照）。
【００４７】
次に、ステップ５（Ｓ５）にて、スイッチ１６ｃがオンしている場合、ステップ６に移行し、それ以外はステップ４へ戻る。
【００４８】
ステップ６（Ｓ６）にて、現在の表示状態を表示モード設定がオフ設定に切り換えて、表示を行う（図５（ｂ）参照）。
【００４９】
次に、ステップ７（Ｓ７）にて、表示モード設定スイッチをオン設定とオフ設定とを切り換えるためのスイッチがオフ、本実施の形態ではスイッチ１６ｄとスイッチ１６ｅを同時にオン、されたかどうかを判断し、スイッチがオフの場合、ステップ８へ移行し、変更後の表示モード設定の状態表示から現在の誘導加熱調理機器１の動作状態の表示に戻す。
【００５０】
以上より、加熱動作状態表示部１４ａ、１４ｂに第一の表示状態と第二の表示状態を表示させないようにするための表示モード設定スイッチ（スイッチ１６ｄとスイッチ１６ｅ）を有するようにしたことにより、高温となっている機器の箇所を視覚的にわかりやすく表示し高温警告効果を高めた表示を使用者が選択できる機能を追加することができる。
【００５１】
なお、本実施の形態において、表示モード設定スイッチ（スイッチ１６ｄとスイッチ１６ｅ）で加熱動作状態表示部１４ａ、１４ｂに第一の表示状態と第二の表示状態を両方とも表示させないようにしたが、例えば、本実施の形態の図６のステップ４（Ｓ４）で、スイッチ１６ｂを押す毎に加熱動作状態表示部１４ａ、１４ｂに表示させる内容を変えてもよい。つまり、スイッチ１６ｂが１回オンした場合は、加熱動作状態表示部１４ａ、１４ｂに第一の表示状態と第二の表示状態を両方とも表示させる。また、スイッチ１６ｂが２回オンした場合は、加熱動作状態表示部１４ａ、１４ｂに第一の表示状態と第二の表示状態を両方とも表示させない。また、スイッチ１６ｂが３回オンした場合は、加熱動作状態表示部１４ａ、１４ｂに第一の表示状態を表示させて、第二の表示状態は表示させない。また、スイッチ１６ｂが４回オンした場合は、加熱動作状態表示部１４ａ、１４ｂに第二の表示状態を表示させて、第一の表示状態は表示させない。このことにより、使用者が選択できる。また、表示モード設定スイッチ（スイッチ１６ｄとスイッチ１６ｅ）で加熱動作状態表示部１４ａ、１４ｂに第一の表示状態、または第二の表示状態のいずれかを表示させないようにしても良い。このことにより、高温となっている機器の箇所を視覚的にわかりやすく表示し高温警告効果を高めた表示を使用者が選択できる機能を追加することができる。
【００５２】
また、表示モード設定スイッチ（スイッチ１６ｄとスイッチ１６ｅ）で、第一の表示状態、または第二の表示状態の表示状態を、例えば、本実施の形態の図６のステップ２（Ｓ２）からステップ７（Ｓ７）までの間で第一の表示状態を選択し、スイッチ１６ｄを押す毎に、第一の表示状態を現在より明るい輝度に変更し、スイッチ１６ｅを押す毎に現在より暗い輝度に変更する。また、第二の表示状態を選択し、スイッチ１６ｄを押す毎に、第一の表示状態を現在より明るい輝度に変更し、スイッチ１６ｅを押す毎に現在より暗い輝度に変更するようにしても良い。このことにより、高温となっている機器の箇所を視覚的にわかりやすく表示し高温警告効果を高めた表示を使用者が選択できる機能を追加することができる。
【産業上の利用可能性】
【００５３】
以上のように、本発明にかかる誘導加熱調理機器は、高温となっている機器の箇所を視覚的にわかりやすく表示し高温警告効果を高めた表示を使用者が選択できる機能を追加することで、使い勝手を向上させることができ、一般家庭やレストラン及びオフィスなどで使用される加熱調理器等の用途にも適用できる。
【符号の説明】
【００５４】
１  誘導加熱調理機器
２  トッププレート
３  調理容器（鍋）
４、５、６  加熱部
８  操作部
９  高温注意表示部
１０  誘導加熱コイル
１１  インバータ
１２  制御部
１３  温度検出手段
１４ａ、１４ｂ  加熱動作状態表示部
１５  電源スイッチ
１６ａ、１６ｂ、１６ｃ、１６ｄ、１６ｅ  スイッチ
１７、１７ａ、１７ｂ  表示部
２０  電源スイッチ状態表示部
【図１】
0005899404.tif 000002
【図２】
0005899404.tif 000003
【図４】
0005899404.tif 000004
【図６】
0005899404.tif 000005
【図３】
0005899404.tif 000006
【図５】
0005899404.tif 000007